(57)【要約】【課題】農作業に関する適切な指示を与えるための情報を容易に形式知化することのできる情報管理装置、情報管理方法、および、これを実現するためのプログラムを提供する。【解決手段】情報管理装置１００は、作物に関する１または複数の指標、および各指標の目標値を示す情報を取得する目標値取得部１１と、目標値取得部１１により取得された指標ごとに、目標値に基づいた複数の値の範囲を示す情報を取得し、指標ごとに、指標の値の各範囲と、指標の実測値が各範囲に該当する場合に推奨される作業内容とをそれぞれ対応づけた情報を取得する作業情報取得部１２とを備える。【選択図】図１
2015177758.tif 000002
【特許請求の範囲】
【請求項１】
作物に関する１または複数の指標、および各指標の目標値を示す情報を取得する目標値取得部と、
前記目標値取得部により取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得する作業情報取得部とを備える、情報管理装置。
【請求項２】
更に、作物の栽培期間を複数の期間に分割した分割期間を示す情報を取得する期間管理部を備え、
前記作業情報取得部は、前記期間管理部により取得された情報に示される前記分割期間ごとに、前記指標の値の各範囲と、作業内容とをそれぞれ対応づけた情報を取得する、請求項１に記載の情報管理装置。
【請求項３】
更に、互いに異なる種類の前記指標にそれぞれ対応づけられた作業内容のうち、優先すべき作業内容を示す情報を取得する優先度取得部を備える、請求項１または請求項２に記載の情報管理装置。
【請求項４】
更に、過去の日付における前記指標の目標値、前記指標の値の範囲、および、前記指標の値の範囲に対応づけられた作業内容のうち少なくとも１つを示す情報を記憶する記憶部を備える、請求項１から請求項３のいずれか１項に記載の情報管理装置。
【請求項５】
前記記憶部は、過去の日付における、作物の栽培期間を複数の期間に分割した分割期間を示す情報を記憶し、
新たに作物の栽培期間を示す情報が取得されると、前記記憶部に記憶された前記過去の日付における分割期間を示す情報に基づいて、新たに取得された情報に示される栽培期間の分割期間の候補を決定する時期分割部を更に備える、請求項４に記載の情報管理装置。
【請求項６】
前記記憶部は、過去の日付における前記指標の目標値を示す情報を記憶し、
前記目標値取得部により新たに指標を示す情報が取得されると、前記記憶部に記憶された前記過去の日付における前記指標の目標値を示す情報に基づいて、新たに取得された情報に示される前記指標の目標値の候補を決定する目標値候補決定部を更に備える、請求項４または請求項５に記載の情報管理装置。
【請求項７】
前記記憶部は、過去の日付における前記指標の値の範囲を示す情報を記憶し、
前記目標値取得部により新たに指標を示す情報が取得されると、前記記憶部に記憶された前記過去の日付における前記指標の値の範囲を示す情報に基づいて、新たに取得された情報に示される前記指標の値の範囲の候補を決定する目標値候補決定部を更に備える、請求項４から請求項６のいずれか１項に記載の情報管理装置。
【請求項８】
更に、前記指標の実測値を取得し、前記指標の値の範囲のうち、取得した前記実測値が該当する範囲を特定し、特定した範囲に対応づけられた作業内容を提示する作業情報提示部を備える、請求項１から請求項７のいずれか１項に記載の情報管理装置。
【請求項９】
農作業支援のための情報を管理するための情報管理方法であって、
（ａ）作物に関する１または複数の指標、および各指標の目標値を示す情報を取得するステップと、
（ｂ）前記ステップ（ａ）において取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得するステップとを含む、情報管理方法。
【請求項１０】
農作業支援のための情報の管理を、コンピュータによって実行するためのプログラムであって、
前記コンピュータに、
（ａ）作物に関する１または複数の指標、および各指標の目標値を示す情報を取得するステップと、
（ｂ）前記ステップ（ａ）において取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得するステップとを実行させる、プログラム。
【発明の詳細な説明】
【技術分野】
【０００１】
本発明は、情報管理装置、情報管理方法およびプログラムに関し、特に農作業支援のための情報を管理する情報管理装置、情報管理方法、および、これを実現するためのプログラムに関する。
【背景技術】
【０００２】
従来、栽培支援のための農作業支援装置では、多様なセンサから大量のデータを収集し、収集したデータを可視化するものがある。さらに、可視化するだけでなく、収集したデータから状況に応じた農作業を指示するシステムが存在する。
【０００３】
例えば、特許文献１（特開２０１２−３９９６４号公報）には、作物の状態を示す作物生育情報又は環境の状態を示す環境情報を受け付け、実行すべき作業が記された作業規則情報の中から、作物生育情報又は環境情報に関する条件が合致する作業規則情報を抽出する作業支援装置が開示されている。また、この作業規則情報は作業が生育にどれだけ寄与するかを示す寄与度を含み、作業支援装置は、複数の作業規則情報を抽出した場合、寄与度に基づいて作業規則情報を選択する。
【先行技術文献】
【特許文献】
【０００４】
【特許文献１】特開２０１２−３９９６４号公報
【発明の概要】
【発明が解決しようとする課題】
【０００５】
上述した特許文献１に記載のような作業支援装置によれば、多くのデータに基づいて状況に応じた適切な作業を指示することができる。
【０００６】
しかしながら、作業内容の適切な指示を与えるためには、農業作業者の経験等により得られた知識などの多くの情報に基づいて作物の生育状況等と行うべき作業内容とを対応づけて表にまとめるなどの形式知化が必要である。すなわち、このような形式知化のためには多くの情報を整理する必要があり、上述した特許文献１に記載の作業支援装置では、容易に行うことができないという問題があった。
【０００７】
この発明は、上述の課題を解決するためになされたもので、その目的は、農作業に関する適切な指示を与えるための情報を容易に形式知化することのできる情報管理装置、情報管理方法、および、これを実現するためのプログラムを提供することである。
【課題を解決するための手段】
【０００８】
上記目的を達成するため、本発明の一側面における情報管理装置は、作物に関する１または複数の指標、および各指標の目標値を示す情報を取得する目標値取得部と、
前記目標値取得部により取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得する作業情報取得部とを備える。
【０００９】
また、上記目的を達成するため、本発明の一側面における情報管理方法は、農作業支援のための情報を管理するための情報管理方法であって、
（ａ）作物に関する１または複数の指標、および各指標の目標値を示す情報を取得するステップと、
（ｂ）前記ステップ（ａ）において取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得するステップとを含む。
【００１０】
また、上記目的を達成するため、本発明の一側面におけるプログラムは、農作業支援のための情報の管理を、コンピュータによって実行するためのプログラムであって、
前記コンピュータに、
（ａ）作物に関する１または複数の指標、および各指標の目標値を示す情報を取得するステップと、
（ｂ）前記ステップ（ａ）において取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得するステップとを実行させる。
【発明の効果】
【００１１】
本発明によれば、農作業に関する適切な指示を与えるための情報を容易に形式知化することができる。
【図面の簡単な説明】
【００１２】
【図１】本発明の第１の実施の形態に係る情報管理装置の構成を示すブロック図である。
【図２】図１に示す情報管理装置の具体的な構成を示すブロック図である。
【図３】本発明の第１の実施の形態に係る情報管理装置による動作の手順を示すフローチャートである。
【図４】図３に示すステップＳ１０１において入力される指標および指標の分類先の具体例を示す図である。
【図５】図３に示すステップＳ１０４において入力される各指標の目標値の具体例を示す図である。
【図６】図３に示すステップＳ１０５において入力される各指標の値の範囲の具体例（その１）を示す図である。
【図７】図３に示すステップＳ１０６において入力される制御指標の具体例（その１）を示す図である。
【図８】図３に示すステップＳ１０７において入力される優先度を示す情報の具体例（その１）を示す図である。
【図９】図３に示すステップＳ１０５において入力される指標の値の範囲、および、ステップＳ１０６において入力される制御指標の内容の具体例（その２）を示す図である。
【図１０】図３に示すステップＳ１０７において入力される優先度を示す情報の具体例（その２）を示す図である。
【図１１】本発明の第２の実施の形態に係る情報管理装置の構成を示すブロック図である。
【図１２】本発明の第３の実施の形態に係る情報管理装置の構成を示すブロック図である。
【図１３】本発明の第４の実施の形態に係る情報管理装置の構成を示すブロック図である。
【図１４】本発明の第５の実施の形態に係る情報管理装置の構成を示すブロック図である。
【図１５】図１４に示す実測値記憶部に記憶される実測値の一例を示す図である。
【図１６】本発明の第６の実施の形態に係る情報管理装置の構成を示すブロック図である。
【図１７】本発明の第１から第６の実施の形態における情報管理装置を実現するコンピュータの一例を示すブロック図である。
【発明を実施するための形態】
【００１３】
次に、本発明の実施の形態について図面を参照して詳細に説明する。
【００１４】
（第１の実施の形態）
［構成］
図１は、本発明の第１の実施の形態に係る情報管理装置の構成を示すブロック図である。
【００１５】
図１に示すように、情報管理装置１００は、目標値取得部１１と、作業情報取得部１２とを備える。
【００１６】
目標値取得部１１は、作物に関する１または複数の指標、および各指標の目標値を示す情報を取得する。作業情報取得部１２は、目標値取得部１１により取得された指標ごとに、取得された目標値に基づいた複数の値の範囲を示す情報を取得する。また、作業情報取得部１２は、取得された指標ごとに、指標の値の各範囲と、指標の実測値が各範囲に該当する場合に推奨される作業内容とを対応づけた情報を取得する。
【００１７】
このように構成された情報管理装置１００によれば、農業作業者は、指標の値の範囲ごとに推奨する作業内容を入力すればよく、複数の指標を同時に考慮する必要がない。このため、入力すべき情報が明確であり、農作業に関する適切な指示を与えるための情報を容易に形式知化することができる。以下、情報管理装置１００のより具体的な構成について説明する。
【００１８】
図２は、図１に示す情報管理装置の具体的な構成を示すブロック図である。
【００１９】
図２を参照して、情報管理装置１００は、入出力部１と、作業情報記憶部２と、指標記憶部３と、上述した目標値取得部１１および作業情報取得部１２を有する情報管理部４とを備える。
【００２０】
入出力部１は、例えばキーボード等の入力デバイスと表示装置とを有し、ユーザにより入力される情報の取得およびユーザへの情報の提示などを行う。作業情報記憶部２は、農作業を行う期間および当該期間において推奨される作業内容などの情報を記憶する。指標記憶部３は、例えば「糖度」または「酸度」など、栽培される作物のデータであってユーザにより観測可能なデータ（以下、「指標」と称する）を記憶する。情報管理部４は、入出力部１を介して、ユーザに対する情報の入力の要求、および、ユーザにより入力された情報の管理を行う。なお、作業情報記憶部２および指標記憶部３は、情報管理装置１００の外部に設けられていてもよい。
【００２１】
情報管理部４は、目標値取得部１１および作業情報取得部１２に加えて、更に、指標取得部１３と、期間管理部１４と、優先度取得部１５と、情報提供部１６とを有する。
【００２２】
指標取得部１３は、入出力部１を介して、指標の種類の入力を要求する。ここで、指標は、「目標指標」、「制御指標」または「観測指標」のいずれかに分類されることとする。各指標の分類は、次のような基準により行われる。
【００２３】
すなわち、栽培される作物の価値または価格に直結する指標は「目標指標」に分類される。例えば、ミカンの場合は、糖度が高く、酸度が低く、大きさが大きいほど価格が高くなるため、これら３つの「糖度」、「酸度」および「大きさ」は「目標指標」に分類される。
【００２４】
また、目標指標に影響を与え、農作業により制御することのできる指標は「制御指標」に分類される。例えば、ミカンの場合は、かん水（水やり）をすると糖度が下がり、酸度が下がり、大きさが大きくなる傾向がある。また、摘花や摘果をすると実の数が減り、糖度が上がり、大きさが大きくなる傾向がある。このため、「水やり」、「摘花」および「摘果」は「制御指標」に分類される。
【００２５】
また、目標指標に影響を与えるが、農作業によっては直接的に制御することのできない指標は「観測指標」に分類される。例えば、ミカンの場合は、土壌水分量、実の肥大率、葉からの水分の蒸散量、および、花（実）の数は、観測可能であり「目標指標」に影響を与えるものの、農作業によっては直接的に制御することができない。このため、「土壌水分量」、「肥大率」、「水分の蒸散量」および「花（実）」は「観測指標」に分類される。
【００２６】
なお、「肥大率」は例えば１０日間平均で実がどれだけ大きくなったかを表すもので、複数個の実を測定するものとする。「水分の蒸散量」は、水分ストレス表示シートなどのシートを葉に貼り付けて色の変化を確認することにより、色の変化が少なければ「１」、多ければ「５」というように数値化して測定することができる。「花（実）」は、例えば目視で「多い」、「普通」または「少ない」と判断してもよいし、葉と花（実）との割合で「多い」または「少ない」を判定してもよい。
【００２７】
指標取得部１３は、入出力部１を介して、「目標指標」、「観測指標」および「観測指標」の分類基準をユーザに提示する。そして、指標取得部１３は、入出力部１を介して、指標の入力とともに、各指標が「目標指標」、「制御指標」または「観測指標」のいずれに分類されるのかを入力するように要求する。
【００２８】
入力された指標の種類、および当該指標が「目標指標」、「制御指標」または「観測指標」のいずれに分類されるのかを示す情報は、入出力部１および指標取得部１３を介して指標記憶部３に記憶される。
【００２９】
期間管理部１４は、入出力部１を介して、栽培期間の開始および終了を示す情報の入力を要求する。
【００３０】
また、期間管理部１４は、入出力部１を介して、栽培期間を複数の期間に分割するように要求する。なお、分割された各期間（以下、「分割期間」と称する）は等間隔でなくてもよく、長い期間や短い期間があってもよい。入力された栽培期間および当該栽培期間の分割期間を示す情報は、入出力部１および期間管理部１４を介して作業情報記憶部２に記憶される。
【００３１】
目標値取得部１１は、指標記憶部３に記憶されている指標のうち「目標指標」に分類された指標および「観測指標」に分類された指標を取得する。また、目標値取得部１１は、作業情報記憶部２に記憶されている栽培期間および当該栽培期間の分割期間を示す情報を取得する。そして、目標値取得部１１は、入出力部１を介して、分割期間ごとに各指標の目標値の入力を要求する。例えば、目標値取得部１１は、分割期間の開始日に相当する日付において目標とされる作物の糖度の値の入力を要求する。
【００３２】
なお、目標値は、分割期間の全てに対して入力される必要はなく、分割期間の一部に対してのみ入力されてもよい。また、目標値の入力が行われない指標があってもよい。入力された分割期間ごとの各指標の目標値は、入出力部１および目標値取得部１１を介して作業情報記憶部２に記憶される。
【００３３】
作業情報取得部１２は、入出力部１を介して、作業情報記憶部２に記憶されている「目標指標」または「観測指標」に分類された各指標について、分割期間ごとに、複数の値の範囲の入力を要求する。
【００３４】
このとき、作業情報取得部１２は、各指標の分割期間ごとの目標値をユーザに提示する。これにより、ユーザは、提示された目標値と、過去の実測値などとに基づいて、例えば、目標値を中心として適切と判定される作物の糖度の値の範囲を入力することができる。また、ユーザは、例えば、糖度が高いと判定される場合における糖度の下限値と、糖度が低いと判定される場合における糖度の上限値とを入力することができる。
【００３５】
また、作業情報取得部１２は、各指標について、指標の値の範囲と、当該指標の実測値が当該値の範囲に該当する場合に推奨される作業内容、すなわち「制御内容」とを対応づけた入力を、入出力部１を介して要求する。
【００３６】
例えば、ユーザは、経験などにより得られた知識に基づいて、ある分割期間において観測された実測値により糖度が低いと判定される際には水やりを止めることを推奨する場合、糖度が低いと判定される値の範囲と、「水やり止」とを対応づけて入力する。入力された「制御指標」は、入出力部１および作業情報取得部１２を介して作業情報記憶部２に記憶される。
【００３７】
優先度取得部１５は、同じ分割期間において互いに異なる複数の「制御指標」が入力された場合、当該分割期間においていずれの指標に対応する「制御指標」を優先すべきかを示す情報の入力を、入出力部１を介して要求する。入力された情報、すなわち優先度を示す情報は、入出力部１および優先度取得部１５を介して作業情報記憶部２に記憶される。
【００３８】
情報提供部１６は、例えば入出力部１を介してユーザからの要求を受けると、作業情報記憶部２に記憶されている栽培期間、分割期間、指標の値の範囲、各範囲に対応する作業内容および優先度を含む表などを作成する。そして、情報提供部１６は、作成した表などを、入出力部１を介してユーザに提示する。
【００３９】
［動作］
図３は、本発明の第１の実施の形態に係る情報管理装置による動作の手順を示すフローチャートである。
【００４０】
ここでは、例えば、ミカン栽培を対象として、農作業に関する知識を形式知化する場合における動作手順を説明する。情報管理装置１００は、図３に示すようなフローチャートにしたがって動作する。
【００４１】
図３を参照して、まず、指標取得部１３は、入出力部１を介して、ユーザにミカン栽培に関連する指標の種類の入力、および当該指標の分類先が、「目標指標」、「制御指標」および「観測指標」のいずれであるかを示す情報の入力を要求し、当該情報を取得する（ステップＳ１０１）。
【００４２】
図４は、図３に示すステップＳ１０１において入力される指標および指標の分類先の具体例を示す図である。
【００４３】
図４に示すように、ユーザが、指標の種類として、「糖度」、「酸度」、「大きさ」、「水やり」、「施肥」、「摘花」、「摘果」、「土壌水分量」、「実の肥大率」および「水分の蒸散量」などを入力したとする。また、ユーザが、各指標の分類先として「目標指標」、「制御指標」または「観測指標」のいずれかを入力したとする。
【００４４】
再び図３を参照して、次に、期間管理部１４は、入出力部１を介して、ユーザにミカンの栽培期間の開始および終了を示す情報の入力を要求し、当該情報を取得する（ステップＳ１０２）。
【００４５】
例えば、ミカンの場合、栽培期間は、開花日から収穫が始まるまででもよいし、実がなり始める７月ごろから収穫が終わる１２月ごろまででもよい。ここでは、ユーザは、７月１５日から１２月１日までを入力したとする。
【００４６】
次に、期間管理部１４は、入出力部１を介して、ユーザに栽培期間の分割期間を示す情報の入力を要求し、当該情報を取得する（ステップＳ１０３）。例えば、「糖度」や「酸度」の観測が２週間に一度程度である場合、ユーザは、分割期間を２週間ごとに設定する。
【００４７】
次に、目標値取得部１１は、指標記憶部３に記憶されている指標の中から、「目標指標」に分類された指標と、「観測指標」に分類された指標とを抽出する。そして、目標値取得部１１は、入出力部１を介して、分割期間ごとに、抽出した各指標の目標値を示す情報の入力をユーザに要求し、当該情報を取得する（ステップＳ１０４）。
【００４８】
図５は、図３に示すステップＳ１０４において入力される各指標の目標値の具体例を示す図である。
【００４９】
図５には、分割期間ごとの開始日が示されている。ここでは、図５に示すように、「糖度」、「酸度」および「大きさ」の各指標に関して、ユーザが、分割期間ごとの目標値を設定したとする。
【００５０】
再び図３を参照して、次に、目標値取得部１１は、ステップＳ１０４において取得した各指標の目標値を、入出力部１を介してユーザに提示する。そして、目標値取得部１１は、入出力部１を介して、各指標について、指標の値の範囲を示す情報の入力をユーザに要求し、当該情報を取得する（ステップＳ１０５）。
【００５１】
図６は、図３に示すステップＳ１０５において入力される各指標の値の範囲の具体例（その１）を示す図である。
【００５２】
図５および図６を参照して、ここでは、「糖度」、「酸度」および「大きさ」の各指標に関して、ユーザが指標の値の範囲を設定したとする。
【００５３】
すなわち、図５に示すように、「糖度」の「８月１５日」における目標値が「８.０」である場合、ユーザは「８月１５日」における「糖度」の値の範囲として「８.５超え」と、「８.５〜７.８」と、「７.５未満」との３つの範囲を設定したとする。この場合、「８月１５日」において、「糖度」の値が「８.５超え」であれば「糖度」が「高い」に該当し、「糖度」の値が「７.８未満」であれば「糖度」が「低い」に該当し、「糖度」が「８.５〜７.８」であれば「糖度」が「普通」に該当する。
【００５４】
なお、図５および図６に示す例は一例であって、他の数値が入力されてもよい。また、値の範囲は３段階に限らず、４段階や５段階であってもよい。
【００５５】
また、ユーザは、図６に示される日付、すなわち分割期間の開始日、以外の日付についても各指標の値の範囲を設定することができる。
【００５６】
例えば、「８月１日」における「大きさ」の値の範囲として「２.８０未満」と、「２.８０〜３.２０」と、「３.２０超え」との３つの範囲が設定されているとする。また、「８月１５日」における「大きさ」の値の範囲として「３.５０未満」と、「３.５０〜４.００」と、「４.００超え」との３つの範囲が設定されているとする。
【００５７】
このような場合において、ユーザは、「８月８日」における「大きさ」の値の範囲を設定することが可能である。例えば、「８月８日」は「８月１日」と「８月１５日」との間であるため、ユーザは、「８月１日」の「２.８０未満」と「８月１５日」の「３.５０未満」とに基づく「３.１５（＝（２.８０＋３.５０）／２）未満」、「８月１日」の「２.８０〜３.２０」と「８月１５日」の「３.５０〜４.００」とに基づく「３.１５〜３.６０（＝（３.２０＋４.００）／２）」、および、「３.６０超え」の３つの範囲を、「８月８日」における「大きさ」の値の範囲として設定することができる。
【００５８】
また、例えば、ユーザは、「８月２日」における「大きさ」の値の範囲を設定する場合、「８月１日」の「２.８０未満」と、「８月１５日」「３.５０未満」とに基づいて、１４日間の増加量「０.７（＝３.５０−２.８０）」を１日分に換算して「８月１日」の値に加算する線形補完を行うことができる。すなわち、ユーザは、
２.８０＋（３.５０−２.８０）＊１／１４＝２.８５
を計算することにより、「８月２日」における「大きさ」の値の範囲の一つとして「２.８５未満」という範囲を設定することも可能である。
【００５９】
また、「８月１５日」以前の日付における「糖度」の値の範囲を設定する場合のように前後の日付における指標の値の範囲が設定されていない場合や、栽培期間外の日付における指標の値の範囲を設定する場合には、値の範囲が設定されている日付のうち最も近い日付の数値を用いることができる。
【００６０】
再び図３を参照して、次に、作業情報取得部１２は、図６に示すような各指標の分割期間ごとの値の範囲を示す表を入出力部１を介してユーザに提示する。そして、作業情報取得部１２は、各分割期間における指標の値の範囲ごとに推奨される作業内容を示す情報、すなわち「制御指標」の入力をユーザに要求し、当該情報を取得する（ステップＳ１０６）。
【００６１】
図７は、図３に示すステップＳ１０６において入力される制御指標の具体例（その１）を示す図である。
【００６２】
図６および図７を参照して、ユーザは、例えば、８月１５日に糖度が低ければ水やりを止めること、および、８月１５日に酸度が高ければ水やりをすること、を推奨しているとする。この場合、ユーザは、例えば、図７に示すように、「８月１５日」において「糖度」が「低い」に該当する枠内に「水やり止」を入力し、「８月１５日」において「酸度」が「高い」に該当する枠内に「水やり」を入力する。
【００６３】
なお、ユーザは、より具体的な「制御指標」として、例えば、ミカンの木１本あたりの水やりの量や、ミカンの木１本あたりの摘果の量などを入力してもよい。
【００６４】
再び図３を参照して、次に、優先度取得部１５は、図７に示すような「制御指標」を示す表を入出力部１を介してユーザに提示する。そして、優先度取得部１５は、分割期間ごとにどの「制御指標」の内容を優先すべきかを示す情報の入力をユーザに要求し、当該情報を取得する（ステップＳ１０７）。
【００６５】
図８は、図３に示すステップＳ１０７において入力される優先度を示す情報の具体例（その１）を示す図である。
【００６６】
図７および図８を参照して、図７に示すように、「８月１５日」において、糖度が低い場合には水やりを止めるべきであり、酸度が高い場合には水やりをすべきであると設定されている。このため、「８月１５日」において糖度が低く、かつ酸度が高い場合には、推奨される「制御指標」が矛盾する。このような場合、ユーザは、分割期間ごとにどの指標に対応する「制御指標」を優先するべきかを入力する。
【００６７】
図８に示すように、ユーザは、例えば、優先する順に複数の指標を入力する。図８に示す例においては、ユーザは、分割期間ごとに「優先指標１」、「優先指標２」、「優先指標３」の順で優先度が高くなるように３つまでの指標を入力する。なお、３つの指標が入力されない分割期間があってもよいし、３つより多くの指標が入力される分割期間があってもよい。
【００６８】
以上のように、農作業者の持つ多くの知識を表形式で順々に記述していくことで、農作業に関する適切な指示を与えるための情報を容易に形式知化することが可能となる。そして、作業情報記憶部２に記憶された情報は、情報提供部１６により表などに含められて、入出力部１を介して紙などに出力される。これにより、栽培に関する知識が不十分な新規就農者などに当該情報を提供することができる。
【００６９】
なお、図３に示すフローチャートにおいて、各ステップから、いつでも以前のステップに戻り、作業情報記憶部２または指標記憶部３に記憶されている情報を追加修正することができる。
【００７０】
例えば、図３に示すステップＳ１０７まで進んだときに、「肥大率」、「水分の蒸散量」および「花（実）」の指標が追加された場合、以下のような動作の流れとなる。なお、ここでは、新たに追加された指標についての目標値は入力されないこととして説明する。
【００７１】
この場合、ステップＳ１０７からステップＳ１０５へ戻り、目標値取得部１１は、「肥大率」、「水分の蒸散量」および「花（実）」のそれぞれについて、指標の値の範囲を示す情報の入力を要求し、当該情報を取得する（ステップＳ１０５）。
【００７２】
そして、作業情報取得部１２は、「肥大率」、「水分の蒸散量」および「花（実）」のそれぞれについて、分割期間ごとの指標の各範囲に対して「制御指標」を示す情報の入力を要求し、当該情報を取得する（ステップＳ１０６）。
【００７３】
図９は、図３に示すステップＳ１０５において入力される指標の値の範囲、および、ステップＳ１０６において入力される制御指標の内容の具体例（その２）を示す図である。
【００７４】
図９に示すように、例えば、ユーザは、「肥大率」について、栽培期間の開始から終了までにおける全期間において「２.０ｍｍ以下」、「１.５ｍｍ以下」および「１.０ｍｍ以下」という値の範囲を設定することができる。また、ユーザは、「水分の蒸散量」について、栽培期間の開始から終了までにおける全期間において「平均１以上」および「平均１未満」という範囲を設定することができる。また、ユーザは、「花（実）」について、栽培期間の開始から終了までにおける全期間において数が「多い」、「普通」および「少ない」という範囲を設定することができる。
【００７５】
そして、ユーザは、「肥大率」が「２.０ｍｍ以下」の場合、「１.５ｍｍ以下」の場合、および「１.０ｍｍ以下」の場合のそれぞれについて、分割期間と「制御指標」とを対応づけて入力する。また、ユーザは、「水分蒸散量」が「平均１以上」の場合および「平均１未満」の場合のそれぞれについて、分割期間と「制御指標」とを対応づけて入力する。さらに、ユーザは、「花（実）」が「多い」場合、「普通」の場合、および「少ない」場合のそれぞれについて、分割期間と「制御指標」とを対応づけて入力する。
【００７６】
再び図３を参照して、次に、優先度取得部１５は、分割期間ごとにどの「制御指標」を優先するかを示す情報の入力を要求し、当該情報を取得する（ステップＳ１０７）。
【００７７】
図１０は、図３に示すステップＳ１０７において入力される優先度を示す情報の具体例（その２）を示す図である。
【００７８】
図１０に示すように、例えば、ユーザは、「肥大率」、「水分の蒸散量」および「花（実）」を含めた指標の中から、分割期間ごとに「優先指標１」、「優先指標２」、「優先指標３」の順で優先度が高くなるように３つまでの指標を選択する。そして、ユーザは、選択した指標を入力する。なお、ユーザは、優先度を示す情報を必ずしも新たに入力する必要はない。すなわち、情報提供部１６は、過去に入力された同じ日付に対応する優先度を示す情報、具体的には図８に示す優先度の情報を用いて、優先すべき「制御指標」をユーザに提供してもよい。
【００７９】
［効果］
このように、本発明の第１の実施の形態に係る情報管理装置１００では、目標値取得部１１が、作物に関する１または複数の指標、および各指標の目標値を示す情報を取得する。また、作業情報取得部１２が、目標値取得部１１により取得された指標ごとに、目標値に基づいた複数の値の範囲を示す情報を取得し、指標ごとに、指標の値の各範囲と、指標の実測値が範囲に該当する場合に推奨される作業内容とをそれぞれ対応づけた情報を取得する。
【００８０】
このように構成された情報管理装置１００によれば、農業作業者は、指標の値の範囲ごとに推奨する作業内容を入力すればよく、複数の指標を同時に考慮する必要がない。このため、入力すべき情報が明確であり、農作業に関する適切な指示を与えるための情報を容易に形式知化することができる。
【００８１】
また、本発明の第１の実施の形態に係る情報管理装置１００において、期間管理部１４が、作物の栽培期間を複数の期間に分割した分割期間を示す情報を取得する。また、作業情報取得部１２が、期間管理部１４により取得された情報に示される分割期間ごとに、指標の値の各範囲と、作業内容とをそれぞれ対応づけた情報を取得する。
【００８２】
このように、作業情報取得部１２が分割期間ごとの作業情報を取得する構成により、時期に応じた適切な作業内容を指示することができる。
【００８３】
また、本発明の第１の実施の形態に係る情報管理装置１００において、優先度取得部１５が、互いに異なる種類の指標にそれぞれ対応づけられた作業内容のうち、優先すべき作業内容を示す情報を取得する。
【００８４】
このような構成により、ある指標について実測値が該当する範囲に対応づけられた作業内容と、他の指標について実測値が該当する範囲に対応づけられた作業内容とが矛盾する場合であっても、情報管理装置１００により情報の提供を受ける者は、行うべき作業内容を容易に判断することができる。
【００８５】
（第２の実施の形態）
次に、本発明の第２の実施の形態について、図面を用いて説明する。図１１は、本発明の第２の実施の形態に係る情報管理装置の構成を示すブロック図である。
【００８６】
図１１を参照して、本発明の第２の実施の形態に係る情報管理装置１０１は、図１に示す本発明の第１の実施の形態に係る情報管理装置１００と比較して、更に、過去データ記憶部（記憶部）５を備える。過去データ記憶部５は、過去の日付における指標、各指標の分類先、分割期間ごとの指標の値の範囲、および、各範囲に対応づけられた「制御指標」等を記憶する。
【００８７】
すなわち、本発明の第２の実施の形態に係る情報管理装置１０１では、過去データ記憶部５が、過去の日付における指標の目標値、指標の値の範囲、および、指標の値の範囲に対応づけられた作業内容のうち少なくとも１つを示す情報を記憶する記憶する。
【００８８】
このような構成により、情報管理部４がユーザに対して情報の入力を要求する際、例えば過去データ記憶部５に記憶されている過去の日付における情報を抽出してユーザに提示することができる。これにより、ユーザは、過去の日付における情報を参考情報として用いて新たな情報の入力を行うことができるため、情報入力のための負担を軽減することができる。
【００８９】
（第３の実施の形態）
次に、本発明の第３の実施の形態について、図面を用いて説明する。図１２は、本発明の第３の実施の形態に係る情報管理装置の構成を示すブロック図である。
【００９０】
図１２を参照して、本発明の第３の実施の形態に係る情報管理装置１０２は、図１１に示す本発明の第２の実施の形態に係る情報管理装置１０１と比較して、更に、時期分割部６を備える。時期分割部６は、過去データ記憶部５に記憶された過去の日付における情報を用いて、新たに入力された栽培期間に対する分割期間の候補を決定する。
【００９１】
具体的には、情報管理部４の期間管理部１４は、入出力部１を介してユーザから栽培期間を示す情報を取得すると、過去データ記憶部５に記憶されている過去の日付における栽培期間のうち、例えば新たに入力された栽培期間と最も近い栽培期間を抽出し、抽出した栽培期間および当該栽培期間の分割期間を示す情報を時期分割部６へ出力する。
【００９２】
そして、時期分割部６は、取得した過去の栽培期間と、新たに入力された栽培期間とを比較して、例えば、分割期間の数が同じになるように新たに入力された栽培期間に対する分割期間の候補を決定する。また、時期分割部６は、例えば、取得した過去の栽培期間の分割期間の長さと、新たに入力された栽培期間の分割期間の長さとが同じになるように、分割期間の候補を決定してもよい。
【００９３】
また、時期分割部６は、以上の方法を組み合わせて分割期間の候補を決定してもよいし、過去の日付における複数の栽培期間を用いて分割期間の候補を決定してもよい。
【００９４】
そして、時期分割部６は、決定した分割期間の候補を、情報管理部４および入出力部１を介してユーザに提示する。
【００９５】
このように、本発明の第３の実施の形態に係る情報管理装置１０２では、過去データ記憶部５が、過去の日付における、作物の栽培期間を複数の期間に分割した分割期間を示す情報を記憶する。また、時期分割部６が、新たに作物の栽培期間を示す情報が取得されると、過去データ記憶部５に記憶された過去の日付における分割期間を示す情報に基づいて、新たに取得された情報に示される栽培期間の分割期間の候補を決定する。
【００９６】
このような構成により、ユーザは、過去の日付における分割期間を参考情報として用いて新たな分割期間を示す情報の入力を行うことができるため、情報入力のための負担を軽減することができる。
【００９７】
（第４の実施の形態）
次に、本発明の第４の実施の形態について、図面を用いて説明する。図１３は、本発明の第４の実施の形態に係る情報管理装置の構成を示すブロック図である。
【００９８】
図１３を参照して、本発明の第４の実施の形態に係る情報管理装置１０３は、図１１に示す本発明の第２の実施の形態に係る情報管理装置１０１と比較して、更に、目標値候補決定部７を備える。目標値候補決定部７は、過去データ記憶部５に記憶された過去の日付における情報を用いて、新たに入力された指標の目標値の候補、および当該目標値に基づく指標の値の範囲の候補を決定する。
【００９９】
具体的には、情報管理部４の指標取得部１３は、指標記憶部３に新たに指標が記憶されると、新たに指標が記憶されたことを目標値候補決定部７に通知する。そして、目標値候補決定部７は、情報管理部４を介して、過去データ記憶部５に記憶されている過去の日付における指標および当該指標の目標値を抽出する。そして、目標値候補決定部７は、例えば、抽出した指標の目標値を、新たに記憶された指標の目標値の候補として決定し、決定した目標値の候補を、情報管理部４および入出力部１を介してユーザに提示する。
【０１００】
なお、過去データ記憶部５は、過去の栽培期間における気象条件、または栽培が行われた地域などを記憶していてもよい。この場合、目標値候補決定部７は、例えば、過去データ記憶部５から、過去の日付における指標および当該指標の目標値に加えて、当該過去の日付における気象条件を抽出する。そして、目標値候補決定部７は、抽出した気象条件のうち、新たに入力された栽培期間における気象条件と最も近い日付の指標の目標値を、新たに記憶された指標の目標値の候補として決定してもよい。
【０１０１】
また、目標値候補決定部７は、例えば、過去データ記憶部５から、過去の日付における指標および当該指標の目標値に加えて、栽培が行われた地域を示す情報を抽出してもよい。また、目標値候補決定部７は、新たに入力された栽培期間に栽培が行われる地域の情報を取得する。そして、目標値候補決定部７は、過去データ記憶部５から抽出した地域の情報と、新たに取得した地域の情報とを比較して、同一の地域において行われた栽培期間における指標の実績値または当該指標の目標値を、新たに記憶された指標の目標値の候補として決定してもよい。また、目標値候補決定部７は、以上の方法を組み合わせて指標の目標値の候補を決定してもよい。
【０１０２】
また、情報管理部４の目標値取得部１１は、作業情報記憶部２に新たに指標の目標値が記憶されると、新たに指標の目標値が記憶されたことを目標値候補決定部７に通知する。そして、目標値候補決定部７は、情報管理部４を介して、過去データ記憶部５に記憶されている過去の日付における指標および当該指標の値の範囲を抽出する。そして、目標値候補決定部７は、例えば、抽出した指標の値の範囲を、新たに記憶された指標の値の範囲の候補として決定し、決定した値の範囲の候補を、情報管理部４および入出力部１を介してユーザに提示する。
【０１０３】
なお、過去データ記憶部５が過去の栽培期間における気象条件、または栽培が行われた地域などを記憶している場合、目標値候補決定部７は、過去データ記憶部５から、過去の日付における指標の値の範囲に加えて、当該過去の日付における気象条件を抽出してもよい。そして、目標値候補決定部７は、抽出した気象条件のうち、新たに入力された栽培期間における気象条件と最も近い日付の指標の値の範囲を、新たに入力された指標の値の範囲の候補として決定してもよい。
【０１０４】
また、目標値候補決定部７は、過去データ記憶部５から、過去の日付における指標の値の範囲に加えて、栽培が行われた地域を示す情報を抽出してもよい。また、目標値候補決定部７は、新たに入力された栽培期間に栽培が行われる地域の情報を取得する。そして、目標値候補決定部７は、過去データ記憶部５から抽出した地域の情報と、新たに取得した地域の情報とを比較して、同一の地域において行われた栽培期間における指標の値の範囲に基づいて、新たに入力された指標の値の範囲の候補を決定してもよい。また、目標値候補決定部７は、以上の方法を組み合わせて新たに入力された指標の値の範囲の候補を決定してもよい。
【０１０５】
このように、本発明の第４の実施の形態に係る情報管理装置１０３では、過去データ記憶部５が、過去の日付における指標の目標値を示す情報を記憶する。また、目標値候補決定部７が、目標値取得部１１により新たに指標を示す情報が取得されると、過去データ記憶部５に記憶された過去の日付における指標の目標値を示す情報に基づいて、新たに取得された情報に示される指標の目標値の候補を決定する。
【０１０６】
このような構成により、ユーザは、過去の日付における指標の目標値を参考情報として用いて新たな指標の目標値を示す情報の入力を行うことができるため、情報入力のための負担を軽減することができる。
【０１０７】
また、本発明の第４の実施の形態に係る情報管理装置１０３では、過去データ記憶部５が、過去の日付における指標の値の範囲を示す情報を記憶する。また、目標値候補決定部７が、目標値取得部１１により新たに指標を示す情報が取得されると、過去データ記憶部５に記憶された過去の日付における指標の値の範囲を示す情報に基づいて、新たに取得された情報に示される指標の値の範囲の候補を決定する。
【０１０８】
このような構成により、ユーザは、過去の日付における指標の値の範囲を参考情報として用いて新たな指標の値の範囲を示す情報の入力を行うことができるため、情報入力のための負担を軽減することができる。
【０１０９】
（第５の実施の形態）
次に、本発明の第５の実施の形態について、図面を用いて説明する。図１４は、本発明の第５の実施の形態に係る情報管理装置の構成を示すブロック図である。
【０１１０】
図１４を参照して、本発明の第５の実施の形態に係る情報管理装置１０４は、図１に示す本発明の第１の実施の形態に係る情報管理装置１００と比較して、更に、作業情報提示８と、実測値記憶部９とを備える。
【０１１１】
実測値記憶部９は、観測された指標の実測値を記憶する。作業情報提示部８は、作業情報記憶部２および指標記憶部３に記憶された情報を用いて、実測値記憶部９に記憶された実測値に応じて推奨すべき作業内容を示す情報を作成する。
【０１１２】
図１５は、図１４に示す実測値記憶部に記憶される実測値の一例を示す図である。
【０１１３】
図６、図７および図１５を参照して、例えば、ユーザが「９月８日」に「糖度」および「酸度」を観測して、「糖度」が「７.８」であり、「酸度」が「３.７」であったとする。この場合、ユーザは、図１５に示すように、入出力部１を介して実測値記憶部９に「糖度」および「酸度」の実測値を入力する。
【０１１４】
そして、実測値記憶部９に実測値が記憶されると、作業情報提示部８は、作業情報記憶部２に記憶されている指標の値の範囲を示す情報、すなわち図６に示す表に基づいて、実測値記憶部９に記憶された実測値がいずれの範囲に該当するのかを判定する。
【０１１５】
なお、同一日に同じ指標の実測値が複数入力された場合には、作業情報提示部８は、複数の実測値の平均値を用いて、当該平均値が図６に示す表に含まれる範囲のうちいずれの範囲に該当するのかを判定することができる。
【０１１６】
ここで、「９月８日」は、「９月１日」と「９月１５日」との間であるため、線形補完を行うことにより、「９月１日」における「糖度」の「７.８未満」と「９月１５日」における「糖度」の「８.３未満」とに基づいて、「９月８日」において「糖度」の値が「８.０５（＝（７.８＋８.３）／２）未満」であれば「糖度」が「低い」に該当すると判定することができる。
【０１１７】
また、「９月１日」における「酸度」の「３.７０超え」と「９月１５日」における「酸度」の「３.００超え」とに基づいて、「９月８日」において「酸度」の値が「３.３５（＝（３.７０＋３.００）／２）超え」であれば「酸度」が「高い」に該当すると判定することができる。
【０１１８】
図１５に示す例の場合、「９月８日」における「糖度」が「７.８」であり、「酸度」が「３.７」であるため、作業情報提示部８は、「糖度」が「低い」に該当し、「酸度」が「高い」に該当すると判定する。
【０１１９】
そして、作業情報提示部８は、作業情報記憶部２に記憶されている「制御指標」を示す表、すなわち図７に示す表を参照して、判定した結果に対応する「制御指標」を特定する。
【０１２０】
作業情報提示部８は、例えば、図７に示す表に含まれている日付のうち「９月８日」より以前で最も近い日付は「９月１日」であるため、「９月１日」において「糖度」が「低い」のマス目に書かれた「水やり止」と、「９月１日」において「酸度」が「高い」のマス目に書かれた「水やり」とを特定する。
【０１２１】
そして、作業情報提示部８は、作業情報記憶部２に記憶されている優先度を示す情報に基づいて、「糖度」と「酸度」とのいずれの指標に対応づけられた「制御指標」を優先すべきかを判定する。ここでは、「９月８日」に最も近い日付として「９月１日」において「酸度」よりも「糖度」の「制御指標」を優先することが作業情報記憶部２に記憶されているとすると、作業情報提示部８は、「酸度」よりも「糖度」の「制御指標」を優先する。
【０１２２】
すなわち、作業情報提示部８は、推奨すべき「制御指標」として「水やり止」を特定し、入出力部１を介して、ユーザに「水やり止」というアドバイスを提示する。なお、作業情報提示部８は、「水やり止」という文字列をそのままアドバイスとして提供してもよいし、「水やり止」という文字列からテンプレートなどを用いて自然な文になるように変形してもよい。例えば、作業情報提示部８は、「糖度が低いので水やりを止めましょう。酸度が高いので水やりすべきですが、糖度を優先しましょう。」のようなアドバイスを提示してもよい。
【０１２３】
このように、本発明の第５の実施の形態に係る情報管理装置１０４では、作業情報提示部８が、指標の実測値を取得し、指標の値の範囲のうち、取得した実測値が該当する範囲を特定し、特定した範囲に対応づけられた作業内容を提示する。
【０１２４】
このような構成により、行うべき作業内容が自動的に提示されるため、情報の提供を受ける新規就農者などにとって使い勝手の良い装置を提供することができる。
【０１２５】
（第６の実施の形態）
次に、本発明の第６の実施の形態について、図面を用いて説明する。図１６は、本発明の第６の実施の形態に係る情報管理装置の構成を示すブロック図である。
【０１２６】
図１６を参照して、本発明の第６の実施の形態に係る情報管理装置１０５は、図１４に示す本発明の第５の実施の形態に係る情報管理装置１０４と比較して、更に、環境データ取得部（計測部）１０を備える。環境データ取得部１０は、図示しない計測器等から環境データを取得し、取得した環境データを実測値記憶部９へ出力する。
【０１２７】
例えば、環境データ取得部１０は、土壌水分計などの計測器により観測された「土壌水分量」を示す情報や、選果機などの計測器により観測された果実の「大きさ」等を示す情報などを環境データとして取得する。そして、環境データ取得部１０は、取得した環境データを実測値記憶部９へ出力し、実測値記憶部９に記憶させる。
【０１２８】
そして、実測値記憶部９に環境データが記憶されると、作業情報提示部８は、上述した本発明の第５の実施の形態における作業情報提示部８と同様に、実測値記憶部９に記憶された実測値に応じて推奨すべき作業内容を示す情報を提示する。このとき、作業情報提示部８は、ユーザにより測定された実測値だけでなく、環境データ取得部１０により取得された「土壌水分量」や「大きさ」などの指標の実測値を用いる。
【０１２９】
このように、本発明の第６の実施の形態に係る情報管理装置１０５では、環境データ取得部１０が、指標の実測値を計測する。また、作業情報提示部８が、環境データ取得部１０により計測された実測値を取得する。
【０１３０】
このような構成により、ユーザ自身が指標の実測値を観測して入力する必要がないため、観測および情報入力のための手間を省くことができる。
【０１３１】
（プログラム）
本発明の第１から第６の実施の形態における情報管理装置１００，１０１，１０２，１０３，１０４，１０５に係るプログラムは、コンピュータに、図３に示すステップを実行させるプログラムであれば良い。このプログラムをコンピュータにインストールし、実行することによって、本実施の形態における情報処理装置１００を実現することができる。
【０１３２】
本発明の第１から第２の実施の形態における情報管理装置１００，１０１の場合、コンピュータのＣＰＵ（Central Processing Unit）は、入出力部１１および情報管理部４（図２を参照）として機能し、処理を行う。
【０１３３】
本発明の第１の実施の形態におけるプログラムでは、作業情報記憶部２および指標記憶部３は、コンピュータに備えられたハードディスク等の記憶装置によって実現されている。また、本発明の第２の実施の形態におけるプログラムでは、作業情報記憶部２、指標記憶部３および過去データ記憶部５は、コンピュータに備えられたハードディスク等の記憶装置によって実現されている。
【０１３４】
また、本発明の第３の実施の形態における情報管理装置１０２の場合、コンピュータのＣＰＵは、入出力部１１、情報管理部４および時期分割部６（図１２を参照）として機能し、処理を行う。本発明の第３の実施の形態におけるプログラムでは、作業情報記憶部２、指標記憶部３および過去データ記憶部５は、コンピュータに備えられたハードディスク等の記憶装置によって実現されている。
【０１３５】
また、本発明の第４の実施の形態における情報管理装置１０３の場合、コンピュータのＣＰＵは、入出力部１１、情報管理部４および目標値候補決定部７（図１３を参照）として機能し、処理を行う。本発明の第４の実施の形態におけるプログラムでは、作業情報記憶部２、指標記憶部３および過去データ記憶部５は、コンピュータに備えられたハードディスク等の記憶装置によって実現されている。
【０１３６】
また、本発明の第５の実施の形態における情報管理装置１０４の場合、コンピュータのＣＰＵは、入出力部１１、情報管理部４および作業情報提示部８（図１４を参照）として機能し、処理を行う。本発明の第５の実施の形態におけるプログラムでは、作業情報記憶部２、指標記憶部３および実測値記憶部９は、コンピュータに備えられたハードディスク等の記憶装置によって実現されている。
【０１３７】
また、本発明の第６の実施の形態における情報管理装置１０５の場合、コンピュータのＣＰＵは、入出力部１１、情報管理部４、作業情報提示部８および環境データ取得部１０（図１６を参照）として機能し、処理を行う。本発明の第６の実施の形態におけるプログラムでは、作業情報記憶部２、指標記憶部３および実測値記憶部９は、コンピュータに備えられたハードディスク等の記憶装置によって実現されている。
【０１３８】
ここで、本発明の第１から第６の実施の形態における情報管理装置１００，１０１，１０２，１０３，１０４，１０５に係るプログラムを実行することによって、情報管理装置１００，１０１，１０２，１０３，１０４，１０５を実現するコンピュータについて図１７を用いて説明する。図１７は、本発明の第１から第６の実施の形態における情報管理装置を実現するコンピュータの一例を示すブロック図である。
【０１３９】
図１７に示すように、コンピュータ１５０は、ＣＰＵ１２１と、メインメモリ１２２と、記憶装置１２３と、入力インターフェイス１２４と、表示コントローラ１２５と、データリーダ／ライタ１２６と、通信インターフェイス１２７と、を備える。これらの各部は、バス１３１を介して、互いにデータ通信可能に接続される。
【０１４０】
ＣＰＵ１２１は、記憶装置１２３に格納された、本発明の第１から第６の実施の形態におけるプログラム（コード）をメインメモリ１２２に展開し、これらを所定順序で実行することにより、各種の演算を実施する。メインメモリ１２２は、典型的には、ＤＲＡＭ（Dynamic Random Access Memory）等の揮発性の記憶装置である。また、本発明の第１から第６の実施の形態におけるプログラムは、コンピュータ読み取り可能な記録媒体１３０に格納された状態で提供される。なお、本発明の第１から第６の実施の形態におけるプログラムは、通信インターフェイス１２７を介して接続されたインターネット上で流通するものであっても良い。
【０１４１】
また、記憶装置１２３の具体例としては、ハードディスクの他、フラッシュメモリ等の半導体記憶装置が挙げられる。入力インターフェイス１２４は、ＣＰＵ１２１と、キーボード及びマウスといった入力機器１２８との間のデータ伝送を仲介する。表示コントローラ１２５は、ディスプレイ装置１２９と接続され、ディスプレイ装置１２９での表示を制御する。データリーダ／ライタ１２６は、ＣＰＵ１２１と記録媒体１３０との間のデータ伝送を仲介し、記録媒体１３０からのプログラムの読み出し、及びコンピュータ１５０における処理結果の記録媒体１３０への書き込みを実行する。通信インターフェイス１２７は、ＣＰＵ１２１と、他のコンピュータとの間のデータ伝送を仲介する。
【０１４２】
また、記録媒体１３０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【０１４３】
上述した実施の形態の一部又は全部は、以下に記載する（付記１）〜（付記２７）によって表現することができるが、以下の記載に限定されるものではない。
【０１４４】
（付記１）
作物に関する１または複数の指標、および各指標の目標値を示す情報を取得する目標値取得部と、
前記目標値取得部により取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得する作業情報取得部とを備える、情報管理装置。
【０１４５】
（付記２）
更に、作物の栽培期間を複数の期間に分割した分割期間を示す情報を取得する期間管理部を備え、
前記作業情報取得部は、前記期間管理部により取得された情報に示される前記分割期間ごとに、前記指標の値の各範囲と、作業内容とをそれぞれ対応づけた情報を取得する、付記１に記載の情報管理装置。
【０１４６】
（付記３）
更に、互いに異なる種類の前記指標にそれぞれ対応づけられた作業内容のうち、優先すべき作業内容を示す情報を取得する優先度取得部を備える、付記１または付記２に記載の情報管理装置。
【０１４７】
（付記４）
更に、過去の日付における前記指標の目標値、前記指標の値の範囲、および、前記指標の値の範囲に対応づけられた作業内容のうち少なくとも１つを示す情報を記憶する記憶部を備える、付記１から付記３のいずれかに記載の情報管理装置。
【０１４８】
（付記５）
前記記憶部は、過去の日付における、作物の栽培期間を複数の期間に分割した分割期間を示す情報を記憶し、
新たに作物の栽培期間を示す情報が取得されると、前記記憶部に記憶された前記過去の日付における分割期間を示す情報に基づいて、新たに取得された情報に示される栽培期間の分割期間の候補を決定する時期分割部を更に備える、付記４に記載の情報管理装置。
【０１４９】
（付記６）
前記記憶部は、過去の日付における前記指標の目標値を示す情報を記憶し、
前記目標値取得部により新たに指標を示す情報が取得されると、前記記憶部に記憶された前記過去の日付における前記指標の目標値を示す情報に基づいて、新たに取得された情報に示される前記指標の目標値の候補を決定する目標値候補決定部を更に備える、付記４または付記５に記載の情報管理装置。
【０１５０】
（付記７）
前記記憶部は、過去の日付における前記指標の値の範囲を示す情報を記憶し、
前記目標値取得部により新たに指標を示す情報が取得されると、前記記憶部に記憶された前記過去の日付における前記指標の値の範囲を示す情報に基づいて、新たに取得された情報に示される前記指標の値の範囲の候補を決定する目標値候補決定部を更に備える、付記４から付記６のいずれかに記載の情報管理装置。
【０１５１】
（付記８）
更に、前記指標の実測値を取得し、前記指標の値の範囲のうち、取得した前記実測値が該当する範囲を特定し、特定した範囲に対応づけられた作業内容を提示する作業情報提示部を備える、付記１から付記７のいずれかに記載の情報管理装置。
【０１５２】
（付記９）
更に、前記指標の実測値を計測する計測部を備え、
前記作業情報提示部は、前記計測部により計測された実測値を取得する、付記８に記載の情報管理装置。
【０１５３】
（付記１０）
農作業支援のための情報を管理するための情報管理方法であって、
（ａ）作物に関する１または複数の指標、および各指標の目標値を示す情報を取得するステップと、
（ｂ）前記ステップ（ａ）において取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得するステップとを含む、情報管理方法。
【０１５４】
（付記１１）
前記ステップ（ｂ）において、作物の栽培期間を複数の期間に分割した分割期間ごとに、前記指標の値の各範囲と、作業内容とをそれぞれ対応づけた情報を取得する、付記１０に記載の情報管理方法。
【０１５５】
（付記１２）
更に、
（ｃ）互いに異なる種類の前記指標にそれぞれ対応づけられた作業内容のうち、優先すべき作業内容を示す情報を取得するステップを含む、付記１０または付記１１に記載の情報管理方法。
【０１５６】
（付記１３）
更に、
（ｄ）過去の日付における前記指標の目標値、前記指標の値の範囲、および、前記指標の値の範囲に対応づけられた作業内容のうち少なくとも１つを示す情報を記憶するステップを含む、付記１０から付記１２のいずれかに記載の情報管理方法。
【０１５７】
（付記１４）
更に、
（ｅ）過去の日付における、作物の栽培期間を複数の期間に分割した分割期間を示す情報を記憶するステップと、
（ｆ）新たに作物の栽培期間を示す情報を取得すると、前記ステップ（ｅ）において記憶した前記過去の日付における分割期間を示す情報に基づいて、新たに取得した情報に示される栽培期間の分割期間の候補を決定するステップとを含む、付記１３に記載の情報管理方法。
【０１５８】
（付記１５）
前記ステップ（ｄ）において、過去の日付における前記指標の目標値を示す情報を記憶し、
更に、
（ｇ）新たに指標を示す情報を取得すると、前記ステップ（ｄ）において記憶した前記過去の日付における前記指標の目標値を示す情報に基づいて、新たに取得した情報に示される前記指標の目標値の候補を決定するステップを含む、付記１３または付記１４に記載の情報管理方法。
【０１５９】
（付記１６）
前記ステップ（ｄ）において、過去の日付における前記指標の値の範囲を示す情報を記憶し、
更に、
（ｈ）新たに指標を示す情報を取得すると、前記ステップ（ｄ）において記憶した前記過去の日付における前記指標の値の範囲を示す情報に基づいて、新たに取得した情報に示される前記指標の値の範囲の候補を決定するステップを含む、付記１３から付記１５のいずれかに記載の情報管理方法。
【０１６０】
（付記１７）
更に、
（ｉ）前記指標の実測値を取得し、前記指標の値の範囲のうち、取得した前記実測値が該当する範囲を特定し、特定した範囲に対応づけられた作業内容を提示するステップを含む、付記１０から付記１６のいずれかに記載の情報管理方法。
【０１６１】
（付記１８）
前記ステップ（ｉ）において、前記指標の実測値を計測し、計測した前記実測値を取得する、付記１７に記載の情報管理方法。
【０１６２】
（付記１９）
農作業支援のための情報の管理を、コンピュータによって実行するためのプログラムであって、
前記コンピュータに、
（ａ）作物に関する１または複数の指標、および各指標の目標値を示す情報を取得するステップと、
（ｂ）前記ステップ（ａ）において取得された指標ごとに、前記目標値に基づいた複数の値の範囲を示す情報を取得し、前記指標ごとに、前記指標の値の各範囲と、前記指標の実測値が前記範囲に該当する場合に推奨される作業内容とをそれぞれ対応づけた情報を取得するステップとを実行させる、プログラム。
【０１６３】
（付記２０）
前記ステップ（ｂ）において、作物の栽培期間を複数の期間に分割した分割期間ごとに、前記指標の値の各範囲と、作業内容とをそれぞれ対応づけた情報を取得する、付記１９に記載のプログラム。
【０１６４】
（付記２１）
前記コンピュータに、
（ｃ）互いに異なる種類の前記指標にそれぞれ対応づけられた作業内容のうち、優先すべき作業内容を示す情報を取得するステップを更に実行させる、付記１９または付記２０に記載のプログラム。
【０１６５】
（付記２２）
前記コンピュータに、
（ｄ）過去の日付における前記指標の目標値、前記指標の値の範囲、および、前記指標の値の範囲に対応づけられた作業内容のうち少なくとも１つを示す情報を記憶するステップを更に実行させる、付記１９から付記２１のいずれかに記載のプログラム。
【０１６６】
（付記２３）
前記コンピュータに、
（ｅ）過去の日付における、作物の栽培期間を複数の期間に分割した分割期間を示す情報を記憶するステップと、
（ｆ）新たに作物の栽培期間を示す情報を取得すると、前記ステップ（ｅ）において記憶した前記過去の日付における分割期間を示す情報に基づいて、新たに取得した情報に示される栽培期間の分割期間の候補を決定するステップとを更に実行させる、付記２２に記載のプログラム。
【０１６７】
（付記２４）
前記ステップ（ｄ）において、過去の日付における前記指標の目標値を示す情報を記憶し、
前記コンピュータに、
（ｇ）新たに指標を示す情報を取得すると、前記ステップ（ｄ）において記憶した前記過去の日付における前記指標の目標値を示す情報に基づいて、新たに取得した情報に示される前記指標の目標値の候補を決定するステップを更に実行させる、付記２２または付記２３に記載のプログラム。
【０１６８】
（付記２５）
前記ステップ（ｄ）において、過去の日付における前記指標の値の範囲を示す情報を記憶し、
前記コンピュータに、
（ｈ）新たに指標を示す情報を取得すると、前記ステップ（ｄ）において記憶した前記過去の日付における前記指標の値の範囲を示す情報に基づいて、新たに取得した情報に示される前記指標の値の範囲の候補を決定するステップを更に実行させる、付記２２から付記２４のいずれかに記載のプログラム。
【０１６９】
（付記２６）
前記コンピュータに、
（ｉ）前記指標の実測値を取得し、前記指標の値の範囲のうち、取得した前記実測値が該当する範囲を特定し、特定した範囲に対応づけられた作業内容を提示するステップを更に実行させる、付記１９から付記２５のいずれかに記載のプログラム。
【０１７０】
（付記２７）
前記ステップ（ｉ）において、前記指標の実測値を計測し、計測した前記実測値を取得する、付記２６に記載のプログラム。
【符号の説明】
【０１７１】
１  入出力部
２  作業情報記憶部
３  指標記憶部
４  情報管理部
５  過去データ記憶部（記憶部）
６  時期分割部
７  目標値候補決定部
８  作業情報提示部
９  実測値記憶部
１０  環境データ取得部（計測部）
１１  目標値取得部
１２  作業情報取得部
１３  指標取得部
１４  期間管理部
１５  優先度取得部
１６  情報提供部
１００，１０１，１０２，１０３，１０４，１０５  情報管理装置
１２１  ＣＰＵ
１２２  メインメモリ
１２３  記憶装置
１２４  入力インターフェイス
１２５  表示コントローラ
１２６  データリーダ／ライタ
１２７  通信インターフェイス
１２８  入力機器
１２９  ディスプレイ装置
１３０  記録媒体
１３１  バス
１５０  コンピュータ
【図１】
2015177758.tif 000003
【図２】
2015177758.tif 000004
【図３】
2015177758.tif 000005
【図４】
2015177758.tif 000006
【図５】
2015177758.tif 000007
【図６】
2015177758.tif 000008
【図７】
2015177758.tif 000009
【図８】
2015177758.tif 000010
【図９】
2015177758.tif 000011
【図１０】
2015177758.tif 000012
【図１１】
2015177758.tif 000013
【図１２】
2015177758.tif 000014
【図１３】
2015177758.tif 000015
【図１４】
2015177758.tif 000016
【図１５】
2015177758.tif 000017
【図１６】
2015177758.tif 000018
【図１７】
2015177758.tif 000019